(57)【要約】【課題】大風量を確保しつつ止水性能を満足することができ、建物の外壁面に露出することがなく外部風圧の影響を受けず、また、建物の美観を損なうこともなく、さらに、屋内側への突出も少なくして屋内スペースの有効活用が図れる給排気フードを得る。【解決手段】チャンバー１形のダクトの背面側に給排気口２を形成し、この給排気口２が屋外に開口するようにして前記ダクトを屋内に設置し、屋内に開口する給排気口３を前記ダクトの上部に形成し、ダクトの底板８を屋外側に向かって下方に傾斜する傾斜板に形成する。【選択図】        図１
2005241174.tif 000002
【特許請求の範囲】
【請求項１】
チャンバー形のダクトの背面側に給排気口を形成し、この給排気口が屋外に開口するようにして前記ダクトを屋内に設置することを特徴とした給排気フード。
【請求項２】
屋内に開口する給排気口を前記ダクトの上部に形成し、ダクトの底板を屋外側に向かって下方に傾斜する傾斜板に形成したことを特徴とする請求項１記載の給排気フード。
【請求項３】
前記屋内に開口する給排気口の下方に位置させて、ダクト内の上部にファンを配設したことを特徴とする請求項１または請求項２に記載の給排気フード。
【発明の詳細な説明】
【技術分野】
【０００１】
本発明は、例えば、倉庫や工場などに設置する大型の給排気フードに関するものである。
【背景技術】
【０００２】
倉庫や工場に設置する給排気フードは、大風量であることと、止水性能（雨水浸入防止機能）が要求されるが、止水性能を備えたフードとして従来、例えば建築物の壁に設けられた通気ダクトに設置される給排気ベントキャップがある（例えば特許文献１参照）。
【０００３】
このベントキャップは、ベース板の背面側に筒体のパイプガイドを設け、前面側は上下に開口を有する前面フードで囲繞したベントキャップにおいて、前面フード内の上部内側では平板状の防雨板と雨樋形状の防雨板を多段重ねに配置した上面防雨板を設置し、下部内側では平板状の防雨板を多段重ねに配置した下面防雨板を設置し、また、前面フードの側部に外気開口窓を形成し、その内側に側面防雨板を設けたものである。
【０００４】
そして、前記ベントキャップの設置状態では、パイプガイドが外壁を貫通する外壁貫給排気ダクトの開口に嵌入し、ベントキャップが外壁の外側に突出する。
【０００５】
また、他の従来例として、雨水を屋内に取り込まないようにしたものとして、屋外に開口する開口部から下方に取り入れた外気をさらに上方に導く曲がり流路を形成して、前記曲がり流路に空気の流れにほぼ沿う姿勢の水切りプレートを取り付けるとともに、前記曲がり流路の下部に排水路を設けた建築物の通風口の構造がある（例えば特許文献２参照）。
【０００６】
これは、屋外に開口する開口部は、建築物の側壁に方形の孔をあけて、その下部を下方から覆うように鉤型で内側に曲がり板を設けた突出壁部を設けており、この開口部から外気を取り込むようにしている。
【特許文献１】特開２００２−２４３２３０号公報
【特許文献２】特開平７−１１０１５２号公報
【発明の開示】
【発明が解決しようとする課題】
【０００７】
前記特開２００２−２４３２３０号公報に記載のベントキャップは、止水機能は備えているが、主として住宅や事務所などの建物に設置することを想定したものであるため、小型であり、倉庫や工場などに設置する場合に大風量を確保できない。
【０００８】
また、特開平７−１１０１５２号公報に記載のものは、止水構造として、曲がり流路を形成し、ここに水切りプレートを設置するなど、構造が複雑である。
【０００９】
さらに、両者ともに建物の屋外側に設置するものであるため、高層建物や強風地域では、暴風雨時の風圧に対応ができず、フードの設置が困難であるだけでなく、フードが外壁面に露出することになり建物の美観を損なうおそれがある。
【００１０】
本発明の目的は前記従来例の不都合を解消し、大風量を確保しつつ止水性能を満足することができ、建物の外壁面に露出することがなく外部風圧の影響を受けず、また、建物の美観を損なうこともなく、さらに、屋内側への突出も少なくして屋内スペースの有効活用が図れる給排気フードを提供することにある。
【課題を解決するための手段】
【００１１】
本発明は前記従来例の不都合を解消するものとして、請求項１記載の発明は、チャンバー形のダクトの背面側に給排気口を形成し、この給排気口が屋外に開口するようにして前記ダクトを屋内に設置することを要旨とするものである。
【００１２】
請求項１記載の本発明によれば、ダクトをチャンバー形とすることで、大風量を確保でき、倉庫や工場などに設置した場合に有効である。また、ダクトは、屋内側に設置するから、外壁の外側に設置する場合のように風圧を直接受けることがなく、高層建物や強風地域に設置しても暴風雨時に対応できる。さらに、建物の外側にダクトが突出しないため、建物の美観が損なわれることもない。
【００１３】
請求項２記載の発明は、屋内に開口する給排気口を前記ダクトの上部に形成し、ダクトの底板を屋外側に向かって下方に傾斜する傾斜板に形成したことを要旨とするものである。
【００１４】
請求項２記載の本発明によれば、屋内に開口する給排気口はダクトの上部に形成したことから、屋外側に開口する給排気口から浸入した雨水は、フードの前面側の板に当たってフード下部に落下し、底板の傾斜にそって流れ、適宜設けた排水口から確実に排出される。よって、屋内側の給排気口からの室内側への雨水の浸入を防止できる。
【００１５】
請求項３記載の発明は、前記屋内に開口する給排気口の下方に位置させて、ダクト内の上部にファンを配設したことを要旨とするものである。
【００１６】
請求項３記載の本発明によれば、ファンの配設位置として、屋外開口面側としていた従来に比較して、上部とすることで室内側への突出長を少なくでき、屋内の有効スペースを大きく確保できる。
【発明の効果】
【００１７】
本発明の給排気フードは、ダクトチャンバーの形式を採用することで大風量を確保しつつ、屋内側の開口を上部に設けることで止水性能を満足することができ、建物の内部に設置するから建物の外壁面に露出することがなく外部風圧の影響を受けず、高層建物や強風地域における暴風雨時にも十分対応でき、また、建物の美観を損なうこともなく、さらに、屋内側への突出も少なくして屋内スペースの有効活用を図ることができ、倉庫や工場に設置する場合に有効なものである。
【発明を実施するための最良の形態】
【００１８】
以下、図面について本発明の実施の形態を詳細に説明する。図１は本発明の給排気フードの実施形態を示す側面図、図２は同上正面図、図３は同上要部であるでチャンバーの縦断側面図で、本発明の給排気フードは工場や倉庫などに設置することを想定したものである。
【００１９】
図中１はダクトであるチャンバーを示し、このチャンバー１は図３に示すように背面側に屋外に開口する給排気口２を垂直に形成し、上面側に屋内に開口する給排気口３を水平に形成した。
【００２０】
屋内への給排気口３の上部に、図１、図２に示すように、必要に応じフィルターユニット４、電動シャッター５、ファン６を順次上方に配設することもできる。
【００２１】
屋外への給排気口２は、図示のようなガラリ形状とすることの他に、スリットを設けたり、有孔パネルや金属メッシュを取り付けたり、あるいは、開口のままに形成することもできる。また、必要に応じて防鳥ネット９を取り付ける。
【００２２】
チャンバー１の前面側（屋内側）、すなわち、屋外に開口する給排気口２の対向面は垂直板７で形成し、底板８は屋外側に向かって下方に傾斜する傾斜面に形成し、傾斜の最下端の適宜位置に排水口（図示は省略した）を設ける。
【００２３】
次に作用について説明する。前記のように構成される給排気フードを建物の屋外への開口に設置すれば、給排気口２が屋外に向かって開口し、チャンバー１が屋内に設置される。ファン６の駆動により屋外側の給排気口２からチャンバー１内に浸入した外気は、屋内側の給排気口３から屋内に供給される。この場合、外気はチャンバー１に取り入れられるから、大風量が確保できる。
【００２４】
暴風雨時などには、雨水も給排気口２からチャンバー１内に浸入するが、チャンバー１内に浸入した雨水は給排気口２の対向面に位置する屋内側の垂直板７に当たり、これを伝って下方の底板８に落下する。底板８は傾斜面に形成してあるので、傾斜にそって水は屋外側に向かって流れ、排水口からチャンバー１の外部に排出される。これにより、チャンバー１からの屋内に雨水が浸入することが阻止され、チャンバー１の止水機能が発揮される。
【００２５】
また、チャンバー１は屋内に設置されるから、高層建物、強風地域などに設置した場合の暴風雨時に、チャンバー１は風圧を直接受けることがなく、機能が損なわれることがない。
【００２６】
そして、建物の外部にチャンバー１が露出することがなく、外壁面上には給排気口２が見えるだけであるから、美観が損なわれることもない。
【００２７】
チャンバー１を屋内に設置しても、ファン６の配設位置をチャンバー１の上部とし、従来のように屋外開口面とはしないことで、給排気フードの屋内側への突出長を小さくでき、これにより、倉庫や工場などに設置した場合の屋内有効スペースが縮小されることを防止できる。
【００２８】
前記実施形態では底板８を直線状の傾斜面に形成したが、これに限定されるものではなく、円弧状の勾配を形成してもよい。
【００２９】
また、ファン６の配設位置についても前記のようにチャンバー１の上部に載置される形態に限定されるものではなく、給排気口２よりも高い位置でチャンバー１の左右いずれかの側面、または両側面に配設することもできる。
【００３０】
また、斜線制限などによって傾斜した外壁に設置する場合は、屋外側を傾斜させたチャンバーとすることになり、屋外側の給排気口から雨水がより浸入しやすくなるが、この場合でも止水機能を備えるから対応できる。
【図面の簡単な説明】
【００３１】
【図１】本発明の給排気フードの実施形態を示す側面図である。
【図２】本発明の給排気フードの実施形態を示す屋外側からの正面図である。
【図３】本発明の給排気フードの実施形態を示す要部であるチャンバーの縦断側面図である。
【符号の説明】
【００３２】
１  チャンバー                  ２  給排気口
３  給排気口                    ４  フィルターユニット
５  電動シャッター              ６  ファン
７  垂直板                      ８  底板  
９  防鳥ネット
【図１】
2005241174.tif 000003
【図２】
2005241174.tif 000004
【図３】
2005241174.tif 000005